(57)【要約】【課題】使用しないときコンパクトな形状で保持させて、収納スペースを広く確保する必要のない血圧計用腕帯を提供する。【解決手段】円筒状である可撓性腕帯１の外周の一部に巻かれる締付ベルト２は、締付機構９のラック１０および保持機構１５の突条１６が形成されるとともに薄肉部１９を有していることにより、この薄肉部１９については従来に比べて薄く腰が弱くなっているため曲げ剛性が弱く、使用しないときは、この薄肉部１９を屈曲させることでコンパクトな形状で保持させることができ、収納スペースを広く確保する必要がない。【選択図】図３
2011147605.tif 000002
【特許請求の範囲】
【請求項１】
円筒状であって、径の大きさが可変である可撓性腕帯と、
前記可撓性腕帯の外周に巻かれる締付ベルトと、
前記可撓性腕帯を円周方向に沿って締め付けて前記径を小さくさせるように、前記締付ベルトを締付方向に送るラックおよび前記ラックと噛み合うギアを備えた締付機構と、
前記締付機構により締め付けられた前記可撓性腕帯の前記径の大きさを保持する、突条および前記突条に係合する係合部材を備えた保持機構と、を有し、
前記締付ベルトは、前記ラックと前記突条とが形成されるとともに薄肉部を有することを特徴とする血圧計用腕帯。
【請求項２】
前記薄肉部は、前記締付ベルトの幅方向に亘って連続して形成されていることを特徴とする請求項１に記載の血圧計用腕帯。
【請求項３】
前記薄肉部は、前記締付ベルトの長さ方向に複数形成されていることを特徴とする請求項１または２に記載の血圧計用腕帯。
【請求項４】
前記締付ベルトの前記可撓性腕帯に対向する面に前記ラックおよび前記突条が設けられており、
前記締付ベルトの前記可撓性腕帯に対向する面と反対側の面は平滑に形成されていることを特徴とする請求項１から３のいずれか１項に記載の血圧計用腕帯。
【請求項５】
前記ラックと前記突条とが、前記締付ベルトの幅方向の同一直線上でかつ前記締付ベルトの長さ方向に等間隔で互いに同数設けられていることを特徴とする請求項１から４のいずれか１項に記載の血圧計用腕帯。
【請求項６】
前記ギアの回転軸まわりに巻回支持され、前記ラックを前記締付方向と反対方向に送るように、前記ギアの回転を付勢するギア付勢手段が設けられていることを特徴とする請求項１から５のいずれか１項に記載の血圧計用腕帯。
【発明の詳細な説明】
【技術分野】
【０００１】
本発明は、血圧計用腕帯に関し、詳細には、被測定部に巻き付けて固定するための締付用のベルトを備えた血圧計用腕帯に関する発明である。
【背景技術】
【０００２】
従来、被検体の血圧を測定する血圧計用腕帯は、樹脂等で形成された円筒状のシートである可撓性腕帯（一般的にカフと称される）を、被測定部である被検体の腕に巻き付け、カフの内面に設けられた流体袋に空気等の流体を送圧させて流体袋を膨張させることで腕を圧迫し、この流体袋を徐々に収縮させることで腕の圧迫を緩め、この過程で検出した脈動の検出状態に対応した流体袋内の圧力に基づいて血圧値を得ている。
【０００３】
また、カフを被検体の腕に巻き付けて固定するための締付用のベルトを備えているものがある。
【０００４】
例えば、特許文献１に提案されている血圧計用腕帯は、カフの外周であって幅方向略中央に、樹脂等で成形された締付用ベルトがカフの周方向に沿って設けられ、この締付用ベルトには、その幅方向の略中央に、長手方向に沿って延びた長穴状の開口部が形成され、この開口部の長手方向に沿った一方の縁部にはラックが形成されている。
【０００５】
さらに、ラックと噛み合うギアが開口部を貫通するように設けられており、ギアを回転させることでラックが締付方向（カフの径を小さくさせる方向）に送られる。これにより、締付用ベルトがカフの円周方向に沿って湾曲した状態でカフを締め付けて、カフの径を小さくさせる（締付機構）。
【０００６】
また、この締付用ベルトにはその長手方向の全長に亘って幅方向の上部と下部に複数の保持用孔が並設されており、さらに、これら上下一対の保持用孔に同時に係入する一対の保持用ピンと、保持用ピンを保持用孔に係入させる方向に付勢する付勢手段としてのばねと、が設けられている。
【０００７】
そして、ギアを回転させることでラックを締付方向に送ると、ラックとともに保持用孔が移動し、ばねの付勢力に抗して保持用ピンが保持用孔から抜ける。さらにギアを回転させると、隣接する他の保持用孔が保持用ピンの位置に移動して、ばねの付勢力によって保持用ピンが移動してきた保持用孔に係入することにより、カフの径の大きさが保持される（保持機構）。
【先行技術文献】
【特許文献】
【０００８】
【特許文献１】特開２００７−２６０２９３号公報
【発明の概要】
【発明が解決しようとする課題】
【０００９】
しかし、上述した特許文献１に提案されている血圧計用腕帯によれば、締付用ベルトには、カフを腕に巻き締め付けた後、流体袋に空気を送って腕を圧迫したときに、カフ本体を押し広げようとする大きな力かかる。そこで、締付用ベルトは、締付用ベルトに設けられたラックおよび保持用孔の機械的強度を確保できるように保持用孔の保持用ピンが係入する方向に一定の厚さとなっている。そのため、締付用ベルトはその剛性が高く、血圧計用腕帯を収納する際に締付用ベルトを強く湾曲させた状態で保持することができず、収納スペースを広く確保する必要があるという問題があった。
【００１０】
本発明は上記事情に鑑みなされたものであり、使用しないときコンパクトな形状で保持させて、収納スペースを広く確保する必要のない血圧計用腕帯を提供することを目的とするものである。
【課題を解決するための手段】
【００１１】
本発明に係る血圧計用腕帯は、締付ベルトが薄肉部（欠歯部）を有することにより、この締付ベルトの曲げ剛性が従来に比べて弱くなるため、使用しないときコンパクトな形状で保持させることができ、収納スペースを広く確保する必要がないものである。
【００１２】
すなわち、本発明に係る血圧計用腕帯は、円筒状であって、径の大きさが可変である可撓性腕帯と、前記可撓性腕帯の外周に巻かれる締付ベルトと、前記可撓性腕帯を円周方向に沿って締め付けて前記径を小さくさせるように、前記締付ベルトを締付方向に送るラックおよび前記ラックと噛み合うギアを備えた締付機構と、前記締付機構により締め付けられた前記可撓性腕帯の前記径の大きさを保持する、突条および前記突条に係合する係合部材を備えた保持機構と、を有し、前記締付ベルトは、前記ラックと前記突条とが形成されるとともに薄肉部を有することを特徴とする。
【００１３】
このように構成された本発明に係る血圧計用腕帯によれば、締付ベルトは、締付機構に備えられたラックと保持機構に備えられた突条とが形成されているため、このような締付ベルトを用いていても、従来と同様に、可撓性腕帯を締付ける機能および可撓性腕帯の径の大きさを保持する機能を発揮させることができる。
【００１４】
しかも、締付ベルトは、ラックおよび突条とが形成されるとともに薄肉部を有しており、この薄肉部については従来に比べて薄く腰が弱くなっているため曲げ剛性が弱いため、使用しないときは、この薄肉部を屈曲させることでコンパクトな形状で保持させることができ、収納スペースを広く確保する必要がない。
【００１５】
また、本発明に係る血圧計用腕帯において、前記薄肉部は、前記締付ベルトの幅方向に亘って連続して形成されている構成とすることが好ましい。
【００１６】
このように構成された本発明に係る血圧計用腕帯によれば、薄肉部が締付ベルトの幅方向亘って連続して形成されていることにより、締付ベルトを幅方向に亘って屈曲させることができる。
【００１７】
さらに、本発明に係る血圧計用腕帯において、前記薄肉部は、前記締付ベルトの長さ方向に複数形成されている構成とすることが好ましい。
【００１８】
このように構成された本発明に係る血圧計用腕帯によれば、薄肉部が締付ベルトの長さ方向に複数形成されていることにより、締付ベルトをよりコンパクトに屈曲させることができる。
【００１９】
また、本発明に係る血圧計用腕帯において、前記締付ベルトの前記可撓性腕帯に対向する面に前記ラックおよび前記突条が設けられており、前記締付ベルトの前記可撓性腕帯に対向する面と反対側の面は平滑に形成されている構成とすることが好ましい。
【００２０】
ここで、可撓性腕帯に対向する面とは裏（うら）面（外側に向いていない面）をいい、可撓性腕帯に対向する面と反対側の面とは表（おもて）面（外側に向いた面）をいう。
【００２１】
このように構成された本発明に係る血圧計用腕帯によれば、ラックおよび突条は裏面にのみ設けられ、外側に向いた表面は平滑に形成されているため、ラックとラックとの間などに汚れが溜まることを防ぎ、手入れを行い易い。
【００２２】
さらに、本発明に係る血圧計用腕帯において、前記ラックと前記突条とが、前記締付ベルトの幅方向の同一直線上でかつ前記締付ベルトの長さ方向に等間隔で互いに同数設けられている構成とすることが好ましい。
【００２３】
このように構成された本発明に係る血圧計用腕帯によれば、ラックと突条とが締付ベルトの長さ方向に等間隔で互いに同数設けられていることにより、可撓性腕帯を締付ける機能および可撓性腕帯の径の大きさを保持する機能を確保しつつ、これらラックと突条とが締付ベルトの幅方向の同一直線上であることにより、同一直線上に延びた薄肉部を多く確保できるので、締付ベルトをよりコンパクトに屈曲させることができる。
【００２４】
そして、本発明に係る血圧計用腕帯において、前記ギアの回転軸まわりに巻回支持され、前記ラックを前記締付方向と反対方向に送るように、前記ギアの回転を付勢するギア付勢手段が設けられている構成とすることが好ましい。
【００２５】
このように構成された本発明に係る血圧計用腕帯によれば、ギア付勢手段が、ラックを締付方向と反対方向に送るようにギアの回転を付勢するため、可撓性腕帯の径の大きさを広げる場合に従来のようにベルトの剛性を利用する必要がなく、従来に比べて薄く腰が弱い薄肉部を有する締付ベルトであっても可撓性腕帯の径の大きさを広げることができる。
【発明の効果】
【００２６】
本発明に係る血圧計用腕帯によれば、使用しないときコンパクトな形状で保持させることができるので、収納スペースを広く確保する必要がない。
【図面の簡単な説明】
【００２７】
【図１】本実施例の血圧計用腕帯を示す斜視図である。
【図２】図１の血圧計用腕帯の側面図である。
【図３】図１の締付ベルトおよび撮みを裏から見た状態を示す裏面図である。
【図４】（ａ）は締付ベルトの表面を示す表面図であり、（ｂ）は（ａ）の締付ベルトを裏から見た状態を示す裏面図であり、（ｃ）は（ａ）の締付ベルトを矢印Ｃから見た下面図であり、（ｄ）は（ｃ）の締付ベルトを湾曲させた状態を示す下面図である。
【図５】図１のＥ−Ｅ線断面図である。
【図６】図１の撮みおよび開放レバーを下方から見た図である。
【図７】図１のＦ−Ｆ線断面図である。
【図８】図４（ｃ）の締付ベルトの変形例（その１）を示す図である。
【図９】（ａ）は、図４（ｂ）の締付ベルトの変形例（その２）を示す図であり、（ｂ）は、図４（ｂ）の締付ベルトの変形例（その３）を示す図である。
【図１０】（ａ）は、図４（ｂ）の締付ベルトの変形例（その４）を示す図であり、（ｂ）は、図４（ｂ）の締付ベルトの変形例（その５）を示す図であり、（ｃ）は、図４（ｂ）の締付ベルトの変形例（その６）を示す図である。
【発明を実施するための形態】
【００２８】
以下、図１〜図５に基づいて本発明の実施形態としての血圧計用腕帯１００について説明する。
【００２９】
［可撓性腕帯１および締付ベルト２の構造］
図１は、本実施例の血圧計用腕帯１００を示す斜視図であり、図２は、図１の血圧計用腕帯１００の側面図であり、図３は、図１の締付ベルト２および撮み１２を裏から見た状態を示す裏面図であり、図４（ａ）は締付ベルト２の表面を示す表面図であり、図４（ｂ）は（ａ）の締付ベルト２を裏から見た状態を示す裏面図であり、図４（ｃ）は（ａ）の締付ベルト２を矢印Ｃから見た下面図であり、図４（ｄ）は（ｃ）の締付ベルト２を湾曲させた状態を示す下面図である。
【００３０】
本実施例の血圧計用腕帯１００は、図１および図２に示すように、被検体の腕に巻き付けられる可撓性腕帯１と、可撓性腕帯１の外周の一部に巻かれた締付ベルト２と、を有している。
【００３１】
可撓性腕帯１は、樹脂製のシートであり、その長手方向の両端が重ねられて円筒状となっている。また、重ねられた領域を円周方向に沿って増減させることで、可撓性腕帯１の径の大きさが可変とされている。
【００３２】
さらに、可撓性腕帯１の内側には流体袋（図示せず）が設けられており、この流体袋にパイプ等を介して流体（空気等）を送圧させることにより流体袋を膨張させて、被検体の腕を圧迫することができる。
【００３３】
締付ベルト２は、図１に示すように、可撓性腕帯１の外周方向に沿って延びた薄板状のベルト本体部３を有しており、このベルト本体部３の一端３ａは可撓性腕帯１の内側に埋め込まれて固定され、他端（図示せず）もまた可撓性腕帯１に固定されている。
【００３４】
また、図４（ａ）から（ｄ）に示すように、このベルト本体部３のうち、可撓性腕帯１に対向する面（外側に向いていない面、以下「裏面」とする）には、可撓性腕帯１の幅方向に延び、外周方向に沿って等間隔に並設された複数の歯部４が設けられており（図４（ｂ））、一方、可撓性腕帯１に対向する面と反対側の面（外側に向いた面、以下「表面」とする）は平滑に形成されている（図４（ａ））。
【００３５】
さらに、血圧計用腕帯１００は、図１に示すように、環状であって環内に可撓性腕帯１が挿入された固定部材５と、この固定部材５を介して可撓性腕帯１に固定されるとともに、締付ベルト２の裏面側に配された基台６と、を有している。
【００３６】
基台６は、図１および図２に示すように、締付ベルト２の表面を係止する係止爪７を備えており、この係止爪７は、締付ベルト２が可撓性腕帯１から離れることを規制するとともに、可撓性腕帯１の円周方向に沿って移動可能となるように、締付ベルト２を幅方向及び表裏面方向に規制して、締付ベルト２を保持している。
【００３７】
さらに、図３に示すように、基台６のうち可撓性腕帯１の外周方向の両端であって締付ベルト２の裏面に向き合う面には、円弧状のガイド面８が設けられており、締付ベルト２はこれらガイド面８に沿って移動する。
【００３８】
［締付機構９の構造］
図５は、図１のＥ−Ｅ線断面図であり、血圧計用腕帯１００は、図３および図５に示すように、締付ベルト２の歯部４を図１の矢印Ａに示す締付方向（可撓性腕帯１の径を小さくさせる方向、以下「締付方向Ａ」とする）に送るための締付機構９を有している。
【００３９】
この締付機構９は、歯部４の上部であって、その上端部が上方に向かって細くなるように形成されているラック１０と、このラック１０に噛み合うギア１１と、ギア１１を回転させるための撮み１２と、を有している。
【００４０】
また、図５に示すように、ギア１１の回転軸１３まわりに巻回支持されたギア付勢手段１４が設けられており、このギア付勢手段１４が、歯部４を締付方向Ａと反対方向に送るように、ギア１１の回転を付勢している。
【００４１】
そして、ギア１１の回転軸１３は、締付ベルト２の幅方向外側に位置するように基台６に保持されており、ギア１１は締付ベルト２の幅方向外側からラック１０に噛むように構成されている。
【００４２】
［保持機構１５の構造］
図６は、図１の撮み１２および開放レバー２０を下方から見た図であり、図７は、図１のＦ−Ｆ線断面図であって、説明の便宜上、締付ベルト２は同一直線上に表した図である。
【００４３】
血圧計用腕帯１００は、図６および図７に示すように、締付機構９により締め付けられた可撓性腕帯１の径の大きさを保持するための保持機構１５を有している。
【００４４】
この保持機構１５は、図３に示す、締付ベルト２の歯部４の下部である突条（以下、「ラチェット歯」という）１６と、ラチェット歯１６に係合する係合部材１７と、係合部材付勢手段１８と、開放レバー２０と、を有している。
【００４５】
ラチェット歯１６は、図４（ｂ）および（ｃ）に示すように、その締付方向Ａの上流側の面が垂直面１６ａで、下流側の面が傾斜面１６ｂに形成されている。
【００４６】
さらに、ラチェット歯１６と上述したラック１０とは同一直線上に形成されて歯部４を構成しており、歯部４と歯部４との間は、薄肉部（欠歯部）１９が締付ベルト２の幅方向に同一直線上に延びている。
【００４７】
係合部材１７は、図３および図７に示すように、基台６に取り付けられた軸２１によって回転自在に軸支されており、ラチェット歯１６の垂直面１６ａと係合する係合位置（図７に実線で示す位置）とラチェット歯１６から離れて係合を解除する非係合位置（図７に二点鎖線で示す位置）との間で移動可能となっている。
【００４８】
係合部材付勢手段１８は、図３に示すように、軸２１まわりに巻回されており、係合部材１７を係合位置の方向に付勢する。
【００４９】
開放レバー２０は、図３に示すように、ギア１１に対して締付ベルト２の幅方向反対側に設けられ、係合部材１７を軸支した軸２１に連結されている。また、図６に示す矢印Ｄの方向に力を受けることによって、二点鎖線で示す位置に移動して、係合部材付勢手段１８の付勢力に抗して、係合部材１７を係合位置から非係合位置に移動させる。
【００５０】
また、図６に示すように、基台６の下端部にはゴム等の弾性部材で成形された緩和部材２２が設けられており、係合部材付勢手段１８の付勢力により係合部材１７が係合位置に付勢された状態（すなわち、開放レバー２０が、図６に示す実線の位置にある状態）において、この緩和部材２２に開放レバー２０が当接する。
【００５１】
次に、本実施例の血圧計用腕帯１００の作用について、［可撓性腕帯１の径の大きさを大きくする際の作用］と、［可撓性腕帯１の径の大きさを小さくする際の作用］と、［可撓性腕帯１の径の大きさを保持する際の作用］と、［血圧計用腕帯１００を収納する際の作用］と、に分けて説明する。
【００５２】
［可撓性腕帯１の径の大きさを大きくする際の作用］
可撓性腕帯１の径の大きさを大きくする際には、開放レバー２０に図６に示す矢印Ｄの方向の力を加えることにより、開放レバー２０が連結された軸２１が回動するとともに、図７に示すように、軸２１に固定された係合部材１７が矢印Ｄ´の方向に回動して、図７に二点鎖線で示すように、係合部材１７がラチェット歯１６から離れる（非係合位置）。
【００５３】
そして、係合部材１７が非係合位置に移動すると（ラチェット歯１６と係合部材１７との係合が解除されると）、ギア付勢手段１４の付勢力によって歯部４が締付方向Ａと反対方向に送られ、これにより可撓性腕帯１の径の大きさが大きくなる。
【００５４】
［可撓性腕帯１の径の大きさを小さくする際の作用］
可撓性腕帯１の径の大きさを小さくする際には、撮み１２を図１に示す矢印Ｂの方向に回転させることによって、ギア１１が回転し、このギア１１に噛み合うラック１０が締付方向Ａに送られる。
【００５５】
すなわち、基台６に設けられた係止爪７により締付ベルト２が保持されつつ、歯部４がガイド面８に沿って滑らかに締付方向Ａに送られる。この場合、好ましくは、ガイド面８の表面の摩擦係数が小さくなるように処理等することで、より滑らかに歯部４を送ることができる。
【００５６】
このように、撮み１２を回転させることで、歯部４が締付方向Ａに送られ、締付ベルト２が可撓性腕帯１を円周方向に沿って締め付けるようにすることができるため、腕の太さに応じた径の大きさとなるように、可撓性腕帯１の径の大きさを小さくすることができる。
【００５７】
なお、係合部材１７は、歯部４が締付方向Ａに送られるにしたがって、係合部材付勢手段１８の付勢力に抗して、ラチェット歯１６の垂直面１６ａと係合した係合位置から、ラチェット歯１６の傾斜面1６ｂに沿って徐々に非係合位置に変位する。
【００５８】
そして、さらに歯部４が締付方向Ａに送られて薄肉部１９が係合部材１７の位置に移動すると、係合部材１７は、係合部材付勢手段１８の付勢力によって再び係合位置に変位し、隣接するラチェット歯１６の垂直面１６ａと係合する。
【００５９】
このように、歯部４が締付方向Ａに送られる際、係合部材１７は係合位置と非係合位置との間での移動を繰り返す。
【００６０】
さらに、係合部材１７が再び係合位置に変位する度、軸２１を介して係合部材１７と共に動く開放レバー２０が、基台６に設けられた緩和部材２２に当接する。これにより、係合部材１７が係合位置に変位するときの衝撃を緩和し、係合部材１７、開放レバー２０および基台６の破損等を防ぐことができる。
【００６１】
［可撓性腕帯１の径の大きさを保持する際の作用］
上記のように、歯部４が締付方向Ａに送られる際には係合部材１７は係合位置と非係合位置との間での移動を繰り返し、歯部４の締付方向Ａへの送り（すなわち、撮み１２の回転）を終了させたところで、係合部材１７は再び係合位置に変位する。
【００６２】
そして、係合部材１７がラチェット歯１６の垂直面１６ａに当接した状態で、ギア付勢手段１４の付勢力に抗して、歯部４が締付方向Ａと反対方向に送られるのを阻止するため、このときの可撓性腕帯１の径の大きさが保持される。
【００６３】
［血圧計用腕帯１００を収納する際の作用］
締付ベルト２は、歯部４と歯部４との間の薄肉部１９が締付ベルト２の幅方向に同一直線上に延び、この薄肉部１９については従来に比べて薄く腰が弱くなっているため曲げ剛性が弱くなっている。
【００６４】
このため、血圧計用腕帯１００を使用しないときは、図４（ｄ）に示すように、締付ベルト２の薄肉部１９を屈曲させることでコンパクトな形状に湾曲させて保持することができ、収納スペースを広く確保する必要がない。
【００６５】
このように構成された本実施例に係る血圧計用腕帯１００によれば、締付ベルト２には、締付機構９に備えられたラック１０と保持機構１５に備えられたラチェット歯１６とが形成されているため、締付ベルト２を用いていても、従来と同様に、可撓性腕帯１を締付る機能および可撓性腕帯１の径の大きさを保持する機能を発揮させることができる。
【００６６】
しかも、締付ベルト２は、ラック１０およびラチェット歯１６とが形成されるとともに薄肉部１９を有しており、この薄肉部１９については従来に比べて薄く腰が弱くなっているため曲げ剛性が弱いため、使用しないときは、この薄肉部１９を屈曲させることでコンパクトな形状で保持させることができ、収納スペースを広く確保する必要がない。
【００６７】
また、薄肉部１９が締付ベルト２の幅方向亘って連続して形成されていることにより、締付ベルト２を幅方向に亘って屈曲させることができる。
【００６８】
さらに、薄肉部１９が締付ベルト２の長さ方向に複数形成されていることにより、締付ベルト２をよりコンパクトに屈曲させることができる。
【００６９】
また、歯部４（ラック１０およびラチェット歯１６）は裏面にのみ設けられ、外側に向いた表面は平滑に形成されているため、薄肉部１９（ラック１０とラック１０との間など）に汚れが溜まることを防ぎ、手入れを行い易い。
【００７０】
そして、ラック１０とラチェット歯１６とが締付ベルト２の長さ方向に等間隔で互いに同数設けられていることにより、可撓性腕帯１を締付ける機能および可撓性腕帯１の径の大きさを保持する機能を確保しつつ、これらラック１０とラチェット歯１６とが締付ベルト２の幅方向の同一直線上であることにより、同一直線上に延びた薄肉部１９を多く確保できるので、締付ベルト２をよりコンパクトに屈曲させることができる。
【００７１】
さらに、係合部材付勢手段１８が、係合部材１７を係合位置の方向に付勢するため、係合部材１７とラチェット歯１６との係合が容易に解除されるのを防止することができる。
【００７２】
一方、係合部材付勢手段１８の付勢力に抗して係合部材１７を非係合位置に移動させることで係合を解除させることができる。
【００７３】
そして、ギア付勢手段１４が、歯部４を締付方向Ａと反対方向に送るようにギア１１の回転を付勢するため、可撓性腕帯１の径の大きさを広げる場合に従来のようにベルトの剛性を利用する必要がなく、従来に比べて薄く腰が弱い薄肉部１９を有する締付ベルト２であっても可撓性腕帯１の径の大きさを広げることができる。
【００７４】
また、係合部材１７がラチェット歯１６の垂直面１６ａに当接するため、係合部材１７とラチェット歯１６との係合が容易に解除されるのをより確実に防止することができる。
【００７５】
そして、ラチェット歯１６の締付方向Ａの下流側の面が傾斜面１６ｂに形成されているため、歯部４が締付方向Ａに送られるようにギア１１を回転させるにしたがって、係合部材１７を傾斜面１６ｂに沿って徐々に非係合位置に変位させることができるため、係合部材１７とラチェット歯１６との係合を解除させて歯部４を締付方向Ａに送ることが可能である。
【００７６】
さらに、開放レバー２０に力を加えることで係合部材１７を非係合位置に移動させて、係合部材１７とラチェット歯１６との係合を解除させることができ、これにより、ギア付勢手段１４が歯部４を締付方向Ａと反対方向に送るようにギア１１を回転させることができるため、可撓性腕帯１の径の大きさを広げる際の作業を容易に行うことができる。
【００７７】
また、基台６のうち、可撓性腕帯１の外周方向の両端部であって、締付ベルト２に向き合う面には円弧状のガイド面８が設けられているため、歯部４を締付方向Ａあるいは締付方向Ａと反対方向に送る際に、基台６と締付ベルト２の歯部４とが引っ掛かることを防ぎ、滑らかに歯部４を送ることができる。
【００７８】
そして、ギア１１の回転軸１３（回転中心）が締付ベルト２の幅方向外側に位置するため、締付ベルト２の幅方向に同一直線上に延びた歯部４を構成するラック１０に対して、ギア１１を締付ベルト２の幅方向外側から噛ませることができる。
【００７９】
以上の実施例では、締付ベルト２の片側の面、特に裏面のみにラック１０およびラチェット歯１６が設けられる場合について説明をしたが、本発明に係る血圧計腕帯の締付ベルトには、薄肉部が締付ベルトの幅方向に連続するように形成されていれば良い。
【００８０】
例えば、図８に示す、変形例（その１）のように、ラック１０を表面に設け、ラチェット歯１６を裏面に設けてもよい。また、逆にラチェット歯１６を表面に設け、ラック１０を裏面に設けてもよい。
【００８１】
また、本発明に係る血圧計腕帯は、ラックとラチェット歯は、必ずしも同一直線状に設けられている必要はなく、締付ベルトの幅方向に連続するように形成されるように配置されていれば、締付ベルトの曲げ剛性は弱くなるので、血圧計用腕帯を使用しないときは薄肉部を屈曲させることで、コンパクトな形状で保持させることができる。
【００８２】
例えば、図９（ａ）に示す、変形例（その２）のように、ラック１０またはラチェット歯１６の幅分ラチェット歯１６がずれて配置されるようにしてもよい。また、例えば、図９（ｂ）に示す、変形例（その３）のように、ラック１０からラチェット歯１６がわずかにずれるように配置してもよい。
【００８３】
さらには、本発明に係る血圧計用腕帯は、ラックとラチェット歯は必ずしも同数形成される必要はなく、一定の比率でラック１０とラチェット歯１６が形成されていればよい（例えば、図１０（ａ）に示す、変形例（その４））。
【００８４】
また、例えば、図１０（ｂ）に示す、変形例（その５）のように、ラック１０をラチェット歯１６に対して１つおきに形成してもよいし、図１０（ｃ）に示す、変形例（その６）のように、ラチェット歯１６をラック１０に対して１つおきに形成してもよい。
【符号の説明】
【００８５】
１  可撓性腕帯
２  締付ベルト
３  ベルト本体部
４  歯部
５  固定部材
６  基台
９  締付機構
１０  ラック
１１  ギア
１２  撮み
１３  回転軸
１５  保持機構
１６  突条（ラチェット歯）
１７  係合部材
１８  係合部材付勢手段
１９  薄肉部
２０  開放レバー
２１  軸
【図１】
2011147605.tif 000003
【図２】
2011147605.tif 000004
【図３】
2011147605.tif 000005
【図４】
2011147605.tif 000006
【図５】
2011147605.tif 000007
【図６】
2011147605.tif 000008
【図７】
2011147605.tif 000009
【図８】
2011147605.tif 000010
【図９】
2011147605.tif 000011
【図１０】
2011147605.tif 000012